(57)【要約】【課題】      ビル等の屋上緑化に用いる屋上緑化プランターにおいて、網状パネル体の周縁部において上方及び下方につる植物を誘引することができ、また、網状パネル体の周縁部を明確に認識することが出来るようにする。【解決手段】  土壌が充填されて植栽されるプランター本体１０に、植栽されたつる植物のつる等を誘引する網状パネル体２０が設けられている。網状パネル２０は二重金網構造となっており、周縁がプランター本体１０より側方に突出している。網状パネル体２０の周縁部には、拡大補助部材３０が取り付けられている。拡大補助部材３０は、網目構造を有する拡大補助部材本体３１と、この拡大補助部材本体３１の両側端に形成された脚部３２とで構成されている。植栽されたつる植物は、網状パネル体２０の周縁部において拡大補助部材３０に誘引されて下方へ垂れ下がって行く。【選択図】    図２
2008307033.tif 000002
【特許請求の範囲】
【請求項１】
植物を植栽するプランター本体と、該プランター本体の上面に設けられ、プランター本体の上面より大きい面積を有する網状パネル体とを有するプランターであって、該網状パネル体の周縁部において、上方及び下方の少なくとも一の方向に連接してつる植物を誘引可能な拡大補助部材が形成されていることを特徴とする屋上緑化プランター。
【請求項２】
前記拡大補助部材が、網目構造に形成されていることを特徴とする請求項１記載の屋上緑化プランター。
【請求項３】
前記拡大補助部材が、二重金網で形成されていることを特徴とする請求項２記載の屋上緑化プランター。
【請求項４】
前記拡大補助部材が下方に形成されており、該拡大補助部材の下端が床面に接地するように形成されていることを特徴とする請求項１、２又は３記載の屋上緑化プランター。
【発明の詳細な説明】
【技術分野】
【０００１】
本発明は、ビル等の屋上緑化に適したプランターに関し、更に詳しくは、植栽面積を拡大することが出来る屋上緑化プランターに関するものである。
【背景技術】
【０００２】
近年、ヒートアイランド現象の緩和、大気中の二酸化炭素の削減、建物の省エネルギー及び人への癒し効果等の観点から、ビル等の屋上床面を植物で覆い隠す屋上緑化が進められている。
【０００３】
従来、屋上緑化の方法としては、建物の屋上をパーゴラ等の棚で覆い、このパーゴラの下にプランターを設置し、プランターに植栽したつる植物の枝葉をパーゴラに誘引する屋上緑化方法が提案されている（特許文献１参照）。また、屋上緑化の方法ではないが、プランターにネットを取り付け、このネットにプランターに植栽したつる植物を誘引する緑化方法が提案されている（特許文献２参照）。
【０００４】
しかしながら、特許文献１で提案された屋上緑化方法は、つる植物をパーゴラに誘引して緑化するものであるので、屋上が緑化されるまでに長期間を要するものであり、また、特許文献２で提案された緑化方法は、垂直面への緑化は可能であるが水平面への緑化をすることができず、屋上緑化方法としては採用できるものではなかった。
【０００５】
そこで、本出願人は、上述した従来の屋上緑化方法の問題点を解消するために鋭意検討し、プランター本体の上面よりも大きい面積を有する網状パネル体を、プランター本体の上面に設けたプランターを提案した（特許文献３参照）。このプランターによれば、つる植物が網状パネル体に沿って成長するので、短期間で屋上緑化を図れ、極めて好ましいものであった。
【０００６】
【特許文献１】特開平９−１４０２５２号公報
【特許文献２】実開平７−３９３６６号公報
【特許文献３】特開２００５−１７６８２７号公報
【発明の開示】
【発明が解決しようとする課題】
【０００７】
しかしながら、上述した特許文献３で提案された屋上緑化プランターは、水平方向においては網状パネル体によってつる植物を誘引することができるが、網状パネル体の上方には誘引することができないので、つる植物の植栽面積が水平面に限られるものであった。また、つる植物が網状パネル体の周縁部を越えて伸びた場合は、つる植物が固定されず垂れ下がった状態であるので、風により常に揺らいだ状態となり、つる植物の生育に悪影響を与えるものであった。さらに、つる植物が繁茂した場合、網状パネル体の周縁部を明確に認識できなくなり、管理者に網状パネル体に接触する等の危険感を招くものであった。
【０００８】
本発明は、以上の問題点を解決し、網状パネル体の周縁部において上方及び下方につる植物を誘引することができ、また、網状パネル体の周縁部を明確に認識することが出来る屋上緑化プランターを提供することを目的とする。
【課題を解決するための手段】
【０００９】
請求項１に係る屋上緑化プランターは、植物を植栽するプランター本体と、該プランター本体の上面に設けられ、プランター本体の上面より大きい面積を有する網状パネル体とを有するプランターであって、該網状パネル体の周縁部において、上方及び下方の少なくとも一の方向に連接してつる植物を誘引可能な拡大補助部材が形成されていることを特徴として構成されている。
【００１０】
請求項２に係る屋上緑化プランターは、請求項１記載の屋上緑化プランターにおいて、拡大補助部材が、網目構造に形成されていることを特徴として構成されている。
【００１１】
請求項３に係る屋上緑化プランターは、請求項２記載の屋上緑化プランターにおいて、拡大補助部材が、二重金網で形成されていることを特徴として構成されている。
【００１２】
請求項４に係る屋上緑化プランターは、請求項１、２又は３記載の屋上緑化プランターにおいて、拡大補助部材が下方に形成されており、該拡大補助部材の下端が床面に接地するように形成されていることを特徴として構成されている。
【発明の効果】
【００１３】
請求項１に係る屋上緑化プランターによれば、網状パネル体の周縁部において、上方及び下方の少なくとも一の方向（上方、下方、上方及び下方の３態様）に連接してつる植物を誘引可能な拡大補助部材が形成されている。したがって、拡大補助部材を上方に形成した場合は、つる植物が拡大補助部材に誘引されて上方へ伸びていくので、植栽面積を拡大することができる。また、拡大補助部材を下方に形成した場合は、つる植物が拡大補助部材に誘引されて下方へ伸びていく際、つる植物は拡大補助部材に固定された状態となり、風によって大きく揺らぐことがないので、つる植物の生育に悪影響を及ぼすことが無い。さらに、網状パネル体の周縁部が拡大補助部材によって明確になるので、管理者が網状パネル体の周縁部を一目で認識することができ、網状パネル体の周縁部に接触するという危険感を防止することができる。
【００１４】
請求項２に係る屋上緑化プランターによれば、拡大補助部材が網目構造に形成されているので、つる植物を良好に誘引することができる。
【００１５】
請求項３に係る屋上緑化プランターによれば、拡大補助部材が網目構造を有する二重金網で形成されているので、拡大補助部材の剛性を大きくすることが出来る。また、二重金網の内部を通すことにより、つる植物をより確実に誘引することができる。
【００１６】
請求項４に係る屋上緑化プランターによれば、拡大補助部材が下方に形成されており、しかも拡大補助部材の下端が床面に接地するように形成されているので、網状パネル体を支える脚としての機能を有し、網状パネル体の重量が大きい場合であっても、網状パネル体が撓むことなく水平を維持することができる。
【発明を実施するための最良の形態】
【００１７】
本発明の屋上緑化プランターにおいては、網状パネル体の周縁部において拡大補助部材が形成されている。この拡大補助部材が形成される周縁部は、周縁部の全長である必要は無く、少なくとも一部に形成されていればよい。例えば、網状パネル体が正方形である場合は、その４辺に形成しても、対抗する２辺に形成してもよい。また、拡大補助部材は、網状パネル体の周縁部において、下方に形成しても、上方に形成しても、また下方及び上方に形成してもよく、下方に形成した場合は、周縁部から垂れ下がったつる植物を風で揺らぐことなく固定することができ、上方に形成した場合は、植栽面積を拡大させることができる。さらに、下方に形成した場合は、拡大補助部材の下端を床面に接地させることが好ましい。拡大補助部材の下端を床面に接地させることにより、網状パネル体を支えることができるので、網状パネル体を水平に維持することができる。床面に接地させる場合、その接地部にゴム等からなる滑り防止部を形成することが好ましい。
【００１８】
拡大補助部材は、つる植物を誘引できる構造であれば特に限定されず、鉄線を平行に配置した構造、網目構造等に形成することができるが、網目構造とすることが好ましい。網目構造とすることにより、つる植物の誘引を良好に行うことができる。また、網目構造とした場合、一枚の網目パネルで形成された一重金網でも、二枚の網目パネルを所定間隔で平行に連結した二重金網でもよいが、剛性を大きくすることができるとともに、つる植物を確実に誘引することが出来るので二重金網とすることが好ましい。二重金網の場合、例えば、内面網目パネルと、外面網目パネルと、該内面網目パネルと外面網目パネルとを連結する連結線材とで構成する。網目の形状は、特に限定されるものでなく、正方形、長方形、三角形等にすることができる。
【００１９】
拡大補助部材を網状パネル体の周縁部へ形成するには、拡大補助部材の線材と網状パネル体の線材とを締結することにより行うことができ、締結自在な締結部材を用いることにより、拡大補助部材の取り外しを簡易に行うことができる。また、屋上の他の構築物（壁、塀等）に隣接した位置に設置したプランターの場合は、拡大補助部材を当該構築物に連結してもよい。
【００２０】
網状パネル体は、つる植物を誘引できる構造であれば特に限定されず、例えば、拡大補助部材と同様に、二重金網で形成しても、一枚の網目パネルを所定間隔で折曲して突出部を形成することにより立体状にした金網で形成してもよい。二枚の網目パネルを用いた場合は、例えば、上面網目パネルと、下面網目パネルと、該上面網目パネルと下面網目パネルとを連結する連結線材とで構成する。網状パネル体の網目の形状は、特に限定されるものでなく、正方形、長方形、三角形等の他、四辺が区画されず平行になっている形状（両端が無い長方形状）も含むものである。
【００２１】
プランター本体は、土壌が充填されて植栽されるもので、その材質は、表面に塗装が施されたＧＲＣ（ガラス繊維強化軽量コンクリート）、ＦＲＰ等の樹脂を採用することができ、またその形状は、断面が円形状、正方形状、長方形状、多角形状等の筒状体等の各種形状を採用することができる。
【００２２】
プランター本体に充填する土壌は、屋上に設置するために軽量であり、かつ水やりを長期間不要とするために高い保水性を維持できるものが好ましく、また、植物をプランター本体に植え込み後、植物（特に、つる植物のつる）の育成を早めるために最適な有機系肥料を配合することが好ましい。例えば、パーライト（保水、軽量）、バーミキュライト（保水、軽量、保肥）、ピートモス（保水、保肥）、苦土（肥料）、腐植（肥料）を用い、これらの複数種類を所定の割合で配合した土壌を用いる。
【００２３】
プランター本体に植栽する植物としては、横方向に誘引できる植物や横方向に成長する植物であり、例えば、ヘデラ・カナリエンシス、ヘデラ・ヘリックス、スイカズラ、テイカカズラ等のつる植物がある。
【００２４】
本発明による屋上緑化プランターの第１実施形態を図面を参照して説明する。
図１は本発明による屋上緑化プランターの平面図、図２は同上正面図、図３は同上右側面図、図４は拡大補助部材を取付けていない状態の屋上緑化プランターの斜視図、図５は図１中Ａ部の拡大平面図、図６は図１中Ｂ部の拡大右側面図、図７は図１中Ａ−Ｂ部の拡大図正面図である。
【００２５】
これらの図において、１０は土壌が充填されて植栽されるプランター本体で、表面に塗装を施した軽量コンクリートによって円筒状に一体成形されている。２０はプランター本体１０に植栽されたつる植物のつる等を誘引する網状パネル体で、緑色の塗装が施された金属線材で平面視正方形状に形成されている。この網状パネル体２０は、プランター本体１０の上面において略水平方向に設けられており、プランター本体１０の直径が８００ｍｍで、網状パネル体２０の一辺が１８００ｍｍとなって、網状パネル体２０の面積がプランター本体１０の上面の面積より大きくなっているので、網状パネル体２０がプランター本体１０から周縁方向に突出した状態となっている。この網状パネル体２０は、上面網目パネル２１と、この上面網目パネル２１と平行に配置された下面網目パネル２２と、これら上面網目パネル２１と下面網目パネル２２とを連結する斜めに配置された連結線材２３とで形成されており、所謂二重金網構造となっている。そして、上面網目パネル２１及び下面網目パネル２２のプランター本体１０の上方に位置する部分は、網目が大きく形成されている。
【００２６】
プランター本体１０は、その外側面の４箇所に略Ｌ字状の取付け金具１１の垂直面部が取付けられ、この取付け金具１１の垂直面部の下端部と水平面部の先端部の間に設けられ、斜め上方に立ち上がるように丸パイプ状の補強金具１２が固定されている。そして、この取付け金具１１の水平面部に前記網状パネル体２０が固定されている。すなわち、取付け金具１１の水平面部の先端には、上方に位置する押えブラケット１３と、その下方に位置する取付け台座１４とが設けられ、押えブラケット１３に形成された十字状の凹部１３ａ内に網状パネル体２０の線材を配置するとともに、押えブラケット１３を取付け台座１４に螺子止めしている。
【００２７】
前記網状パネル体２０の周縁部には、拡大補助部材３０が取り付けられている（周縁部の４辺全長に亘って形成されているが、本実施形態の図においては、１辺のみを示し、他の３辺は省略してある。）。拡大補助部材３０は、網目構造を有する拡大補助部材本体３１と、この拡大補助部材本体３１の両側端に形成された脚部３２とで構成されている。拡大補助部材本体３１は、一枚の網目パネルで形成されており、その網目の水平方向の長さが、下面網目パネル２２の網目の約２倍となるように形成されている。脚部３２は、一本の線材を折曲して形成したもので、垂直に立ち上がった垂直部３２ａと、内方に斜めに立ち上がった傾斜部３２ｂとからなり、全体形状として略「Ｖ」字状となっており、また垂直部３２ａは、拡大補助部材本体３１の両側端の線材を兼ねている。脚部３２の下端（垂直部３２ａと傾斜部３２ｂとの境界部分）は、円弧状に形成されて接地部３２ｃとなっており、この接地部３２ｃが床面４０に接地している。また、傾斜部３２ｂの先端には、水平方向に折曲されて連結部３２ｄが形成されている。
【００２８】
そして、このような拡大補助部材３０は、締結部材５０により網状パネル体２０に固定されている。すなわち、拡大補助部材本体３１の最上段の横線材３１ａと上面網目パネル２１の端部の線材２１ａとを重ね合わせるととともに、拡大補助部材本体３１の二段目の横線材３１ｂと下面網目パネル２２の端部の線材２２ａとを重ね合わせ、横線材３１ａと線材２１ａ、及び横線材３１ｂと線材２２ａを締結部材５０で固定している。また、脚部３２の傾斜部３２ｂの先端を下面網目パネル２２の線材２２ｂに当接するように配置して、連結部３２ｄを線材２２ｂと重ね合わせ、これらの連結部３２ｄと線材２２ｂとを締結部材５０で固定している。なお、これらの締結部材５０は、金属板をかしめることにより締結するものである。
【００２９】
以上のような屋上緑化プランターにおいては、網状パネル体２０の周縁部まで成長して来たつる植物は、周縁部から下方へ垂れ下がって伸長していくが、その際、拡大補助部材３０に絡まって伸長していくので、拡大補助部材３０に固定された状態となり、風により揺らいだりすることが小さく、成長の妨げになることが無い。また、脚部３２により網状パネル体２０は支えられているので、網状パネル体２０が撓むことが無く常に水平状態を維持することができ、さらに、強風が吹いた場合であっても、風圧によりプランター本体１０が床面４０をずれて移動することが無い。
【００３０】
本発明による屋上緑化プランターの第２実施形態を図面を参照して説明する。
図８は本発明による屋上緑化プランターの平面図、図９は同上正面図、図１０は同上右側面図、図１１は図８中Ｃ−Ｄ部の拡大平面図、図１２は図１０中Ｅ−Ｆ部の拡大右側面図、図１３は図９中Ｇ−Ｈ部の拡大正面図である。これらの図に示す屋上緑化プランターは、拡大補助部材を変更した他は、第１実施形態と同様である。
【００３１】
これらの図において、拡大補助部材６０は、外面網目パネル６１と、この外面網目パネル６１と平行に配置された内面網目パネル６２と、これら外面網目パネル６１と内面網目パネル６２とを連結する斜めに配置された連結線材６３とで形成されており、所謂二重金網構造となっている。そして、このような拡大補助部材６０は、締結部材７０により網状パネル体２０の周縁部に固定されている。すなわち、拡大補助部材６０の内面網目パネル６２を、その最上段の横線材６２ａが上面網目パネル２１の側端部の線材２１ａに隣接するように配置し、この状態で締結部材７０により固定している。
【００３２】
締結部材７０は、２枚の細長い断面「コ」字状をした帯状ブラケット７１と、平板状の断面「コ」字状をした平板ブラケット７２とからなっており、帯状ブラケット７１の上下端の折曲された部位は係合片７１ａとなり、平板ブラケット７２の両側端の折曲された部位は係合片７２ａとなっている。そして、帯状ブラケット７１の上側の係合片７１ａを、上面網目パネル２１の線材２１ａ及び内面網目パネル６２の最上段の横線材６２ａに係合させるとともに、下側の係合片７１ａを下面網目パネル２２の線材２２ａに係合させ、帯状ブラケット７１の上下方向の動きが規制されるようになっている。また、平板ブラケット７２の両側端の係合片７２ａを内面網目パネル６２の縦線材６２ｂに係合させ、平板ブラケット７２の水平方向の動きが規制されるようになっている。そして、以上のように帯状ブラケット７１の上下方向の動きが規制されるとともに、平板ブラケット７２の水平方向の動きが規制される状態で、平板ブラケット７２を帯状ブラケット７１に螺子７３で固定している。したがって、帯状ブラケット７１と平板ブラケット７２が一体になったものは、上下及び水平方向の動きが規制された状態となっている。
【００３３】
平板ブラケット７２の係合片７２ａには、螺子孔（図示せず）が形成されており、この螺子孔に、係合片７２ａを貫通して先端が内方へ突出する状態まで螺子７４を螺着することにより、平板ブラケット７２に内面網目パネル６２を固定している。すなわち、螺着した螺子７４の先端部分と、平板ブラケット７２の平板部分とで、内面網目パネル６２の縦線材６２ｂを挟持することにより、内面網目パネル６２が平板ブラケット７２に固定されている。したがって、拡大補助部材６０が締結部材７０を介して網状パネル体２０に取り付けられている。
【００３４】
以上のような屋上緑化プランターにおいては、拡大補助部材６０が二重金網構造であるので、第１実施形態に比べ、つる植物をより確実に誘引することができる。また、本実施形態では拡大補助部材６０を床面に接地させていないが、接地させた場合は、第１実施形態に比べ、より確実に網状パネル体２０の撓みを防止することができる。また、締結部材７０は螺子７３、７４で固定するようになっているので、拡大補助部材６０を簡単に取外すことができる。
【００３５】
本発明による屋上緑化プランターの第３実施形態を図面を参照して説明する。
図１４は本発明による屋上緑化プランターの正面図である。この図に示す屋上緑化プランターは、拡大補助部材を網状パネル体の上方に形成した他は、第２実施形態と同様である。
【００３６】
この図において、拡大補助部材８０は、第２実施形態と同様に二重金網構造で、外面網目パネル８１と、この外面網目パネル８１と平行に配置された内面網目パネル８２と、これら外面網目パネル８１と内面網目パネル８２とを連結する斜めに配置された連結線材８３とで形成されており、網状パネル体２０から上方に連結して形成されている。そして、この拡大補助部材８０は、第２実施形態と同様な締結部材７０で網状パネル体２０に固定されるとともに、その上端近傍において、転倒防止のために紐状の連結部材９０で壁面１００に連結固定されている。以上のような屋上緑化プランターにおいては、拡大補助部材８０が上方へ立ち上がっているので、つる植物の植栽面積を拡大することができる。
【図面の簡単な説明】
【００３７】
【図１】本発明による屋上緑化プランターの第１実施形態の平面図
【図２】本発明による屋上緑化プランターの第１実施形態の正面図
【図３】本発明による屋上緑化プランターの第１実施形態の右側面図
【図４】本発明による屋上緑化プランターの第１実施形態の拡大保持部材を取付けていない状態の斜視図
【図５】図１中Ａ−Ｂ部の拡大平面図
【図６】図１中Ｂ部の拡大右側面図
【図７】図１中Ａ部の拡大正面図
【図８】本発明による屋上緑化プランターの第２実施形態の平面図
【図９】本発明による屋上緑化プランターの第２実施形態の正面図
【図１０】本発明による屋上緑化プランターの第２実施形態の右側面図
【図１１】図８中Ｃ−Ｄ部の拡大平面図
【図１２】図１０中Ｅ−Ｆ部の拡大右側面図
【図１３】図９中Ｇ−Ｈ部の拡大正面図
【図１４】本発明による屋上緑化プランターの第３実施形態の正面図
【符号の説明】
【００３８】
１０    プランター本体
２０    網状パネル体
３０    拡大補助部材
４０    床面
５０    締結部材
６０    拡大補助部材
７０    締結部材
８０    拡大補助部材
９０    連結部材
１００  壁面
【図１】
2008307033.tif 000003
【図２】
2008307033.tif 000004
【図３】
2008307033.tif 000005
【図４】
2008307033.tif 000006
【図５】
2008307033.tif 000007
【図６】
2008307033.tif 000008
【図７】
2008307033.tif 000009
【図８】
2008307033.tif 000010
【図９】
2008307033.tif 000011
【図１０】
2008307033.tif 000012
【図１１】
2008307033.tif 000013
【図１２】
2008307033.tif 000014
【図１３】
2008307033.tif 000015
【図１４】
2008307033.tif 000016